(57)【要約】【課題】部品点数を少なくした構成で、操作つまみが、無理な力を受けても、ボリュームに悪影響を与える力を加えることがなく、適正な位置に保持されるコントローラーを提供することを目的とする。【解決手段】操作つまみ４とボリューム７を緩嵌状態に連結し、操作つまみ４の外周に外方に向くフランジ８を設け、ケース２の基板挿入口１０にフランジ８より径の小さいつまみ挿通孔１３ａを有した前面板１４と、前面板１４との間に間隙をとって設けられボリューム用孔１５を有した底面板１６とからなる閉鎖プレート３を固定し、操作つまみ４を、フランジ８が閉鎖プレート４の間隙内に位置するようにして取り付けることにより、操作つまみ４が無理な力を受けても、ボリューム７に悪影響を与える力を加えることがなく、適正な位置に保持されることが、少ない部品点数で構成できる。【選択図】図１
2010135161.tif 000002
【特許請求の範囲】
【請求項１】
電気機器の動作を制御する制御回路基板をケースにその前面の基板挿入口から収納し、前記制御回路基板に設けたボリュームを前記ケース外から操作するための操作つまみを前記ボリュームに取り付けたコントローラーであって、前記操作つまみと前記ボリュームを緩嵌状態に連結し、前記操作つまみの連結側端部の外周に外方に向くフランジを環状に設け、前記ケースの基板挿入口に閉鎖プレートを固定し、前記閉鎖プレートは、前記フランジより径の小さいつまみ挿通孔を有した前面板と、前記前面板との間に間隙をとって設けられ前記ボリュームの回転軸を通すボリューム用孔を有した底面板とからなり、前記操作つまみを、前記フランジが前記閉鎖プレートの間隙内に位置するようにして取り付けることを特徴とするコントローラー。
【請求項２】
閉鎖プレートは、ボリュームの回転軸を通すボリューム用孔を有した１枚のプレートで、前記閉鎖プレートの前記ボリューム用孔の周囲を前面に対し段差状に一段低くした底面部を形成し、段差を形成する垂直部を切り欠いて操作つまみのフランジの挿入開口を形成してなる請求項１記載のコントローラー。
【請求項３】
操作つまみを挿通させるつまみ用孔を有し、ケースの前面側を覆い固定される化粧カバーの裏面に、閉鎖プレートの挿入開口に挿入されない側の操作つまみのフランジに当接するリブを設けた請求項２記載のコントローラー。
【請求項４】
操作つまみのフランジの外周端部に突起を設け、閉鎖プレートの裏面の前記突起の回動範囲に、前記突起の係合する溝を設けた請求項２記載のコントローラー。
【請求項５】
ケースの基板挿入口の対向する側端部と閉鎖プレートの対向する側端部とに、係止し合う複数対の係止突起と係止穴を設け、前記複数対の係止突起と係止穴は前記対向する側端部において非対称に配置された請求項１〜４のいずれかに記載のコントローラー。
【請求項６】
閉鎖プレートの裏面に、前記閉鎖プレートの固定時に制御回路基板のプリント板に当接する基板押さえボスを設けた請求項１〜５のいずれかに記載のコントローラー。
【請求項７】
化粧カバーの表面に貼付され制御内容等を印刷したフィルム状の化粧シートに、前記化粧カバーのつまみ用孔に対応する位置で前記つまみ用孔より径の小さい孔が形成された請求項３記載のコントローラー。
【請求項８】
電気機器と制御回路基板とを導通接続するコネクターをケース内に収納しその接続口を前記ケース外に位置させて固定し、前記ケースの前記コネクター収納部分を裏面方向に段差状に突出させ、前記コネクターを接続口が前記ケース裏面の段差状に突出しない面側に向くように配設した請求項１または２記載のコントローラー。
【請求項９】
コネクターの接続口が向く方向のケース裏面に、コードクリップと、前記ケース裏面の側端部に段差状の突出方向に突壁を設けた請求項８記載のコントローラー。
【請求項１０】
ケース裏面における突出部が前記ケース裏面の上部側に形成され、前記突出部の下面側で接続口を下方に向けてコネクターが配設された請求項１０記載のコントローラー。
【発明の詳細な説明】
【技術分野】
【０００１】
本発明は、ボリュームを回転させて抵抗値を変化させることにより、電気機器の運転状態を変化させることができるコントローラーに関するものである。
【背景技術】
【０００２】
従来より、この種のコントローラーとして、ボリュームの抵抗値を変化させ、照明器具に供給する電力量を変化させて調光する調光器が知られている（例えば、特許文献１参照）。
【０００３】
特許文献１に記載の調光器は、箱体の内部に、回転式のボリュームおよび電気素子などが装着された制御手段としての制御基板が収納され、蓋体によって箱体を閉塞し、箱体と蓋体の間には、ボリュームの操作軸を挿通する挿通孔を有する中蓋が取り付けられ、操作軸には操作子が取り付けられ、さらに蓋体には、操作子を挿通する挿通孔を形成するとともに、プレートを取り付け、プレートには化粧プレートを取り付けた構成としたものである。
【特許文献１】特開平６−３１０２８５号公報
【発明の開示】
【発明が解決しようとする課題】
【０００４】
このような従来のコントローラーでは、箱体の内部を中蓋によって閉塞し、それを蓋体によって閉塞し、さらに、これらをプレートと化粧プレートによって覆う構成で、部品点数が多くなり、また、ボリュームに操作子が取り付けられているので、操作子に無理な力が加わると、そのままボリュームにその力が加わってしまうという課題がある。
【０００５】
本発明は、このような従来の課題を解決するものであり、簡単な構造で操作つまみは、無理な力を受けてもボリュームに悪影響を与える力を加えることがなく、かつ適正な位置に保持されることとなるコントローラーを提供することを目的とする。
【課題を解決するための手段】
【０００６】
本発明のコントローラーは、上記目的を達成するために、電気機器の動作を制御する制御回路基板をケースにその前面の基板挿入口から収納し、前記制御回路基板に設けたボリュームを前記ケース外から操作するための操作つまみを前記ボリュームに取り付けたコントローラーであって、前記操作つまみと前記ボリュームを緩嵌状態に連結し、前記操作つまみの連結側端部の外周に外方に向くフランジを環状に設け、前記ケースの基板挿入口に閉鎖プレートを固定し、前記閉鎖プレートは、前記フランジより径の小さいつまみ挿通孔を有した前面板と、前記前面板との間に間隙をとって設けられ前記ボリュームの回転軸を通すボリューム用孔を有した底面板とからなり、前記操作つまみを、前記フランジが前記閉鎖プレートの間隙内に位置するようにして取り付けるものである。
【０００７】
また、他の手段は、閉鎖プレートは、ボリュームの回転軸を通すボリューム用孔を有した１枚のプレートで、前記閉鎖プレートの前記ボリューム用孔の周囲を前面に対し段差状に一段低くした底面部を形成し、段差を形成する垂直部を切り欠いて操作つまみのフランジの挿入開口を形成してなるものである。
【０００８】
また、他の手段は、操作つまみを挿通させるつまみ用孔を有し、ケースの前面側を覆い固定される化粧カバーの裏面に、閉鎖プレートの挿入開口に挿入されない側の操作つまみのフランジに当接するリブを設けたものである。
【０００９】
また、他の手段は、操作つまみのフランジの外周端部に突起を設け、閉鎖プレートの裏面の前記突起の回動範囲に、前記突起の係合する溝を設けたものである。
【００１０】
また、他の手段は、ケースの基板挿入口の対向する側端部と閉鎖プレートの対向する側端部とに、係止し合う複数対の係止突起と係止穴を設け、前記複数対の係止突起と係止穴は前記対向する側端部において非対称に配置されたものである。
【００１１】
また、他の手段は、閉鎖プレートの裏面に、前記閉鎖プレートの固定時に制御回路基板のプリント板に当接する基板押さえボスを設けたものである。
【００１２】
また、他の手段は、化粧カバーの表面に貼付され制御内容等を印刷したフィルム状の化粧シートに、前記化粧カバーのつまみ用孔に対応する位置で前記つまみ用孔より径の小さい孔が形成されたものである。
【００１３】
また、他の手段は、電気機器と制御回路基板とを導通接続するコネクターをケース内に収納しその接続口を前記ケース外に位置させて固定し、前記ケースの前記コネクター収納部分を裏面方向に段差状に突出させ、前記コネクターを接続口が前記ケース裏面の段差状に突出しない面側に向くように配設したものである。
【００１４】
また、他の手段は、コネクターの接続口が向く方向のケース裏面に、コードクリップと、前記ケース裏面の側端部に段差状の突出方向に突壁を設けたものである。
【００１５】
また、他の手段は、ケース裏面における突出部が前記ケース裏面の上部側に形成され、前記突出部の下面側で接続口を下方に向けてコネクターが配設されたものである。
【発明の効果】
【００１６】
本発明は、操作つまみとボリュームを緩嵌状態に連結し、前記操作つまみの連結側端部の外周に外方に向くフランジを環状に設け、ケースの基板挿入口に閉鎖プレートを固定し、閉鎖プレートは、フランジより径の小さいつまみ挿通孔を有した前面板と、前面板との間に間隙をとって設けられボリュームの回転軸を通すボリューム用孔を有した底面板とからなり、操作つまみを、フランジが閉鎖プレートの間隙内に位置するようにして取り付けることにより、操作つまみは、無理な力を受けてもボリュームに悪影響を与える力を加えることがなく、かつ適正な位置に保持されるという効果のあるコントローラーを提供することができる。
【００１７】
また、閉鎖プレートは、ボリュームの回転軸を通すボリューム用孔を有した１枚のプレートで、閉鎖プレートのボリューム用孔の周囲をに対し段差状に一段低くした低面部を形成し、段差を形成する垂直部を切り欠いて操作つまみのフランジの挿入開口を形成してなることにより、上記効果を少ない部品で達成することができる。
【００１８】
また、操作つまみを挿通させるつまみ用孔を有し、ケースの前面側を覆い固定される化粧カバーの裏面に、閉鎖プレートの挿入開口に挿入されない側の操作つまみのフランジに当接するリブを設けたことにより、操作つまみに対する抜け止め効果が高まるとともに、操作つまみによる操作時にボリュームに良好な状態で操作力が加わる。
【００１９】
また、操作つまみのフランジの外周端部に突起を設け、閉鎖プレートの裏面の前記突起の回動範囲に、前記突起の係合する溝を設けたことにより、コントローラー組立時、閉鎖プレートと操作つまみの取付け作業が安定した状態で容易にできる。
【００２０】
また、ケースの基板挿入口の対向する側端部と閉鎖プレートの対向する側端部とに、係止し合う複数対の係止突起と係止穴を設け、前記複数対の係止突起と係止穴は前記対向する側端部において非対称に配置されたことにより、操作つまみのボリュームへの嵌合連結時に、間違った方向でボリュームに無理な力を加えることが防止できる。
【００２１】
また、閉鎖プレートの裏面に、閉鎖プレートの固定時に制御回路基板のプリント板に当接する基板押さえボスを設けたことにより、ボリュームは、これ自体が取り付けられたプリント板が安定した状態に固定されているので、操作つまみの操作力を安定した状態で受けることができる。
【００２２】
また、化粧カバーの表面に貼付され制御内容等を印刷したフィルム状の化粧シートに、化粧カバーのつまみ用孔に対応する位置でつまみ用孔より径の小さい孔が形成されたことにより、化粧カバーのつまみ用孔から侵入した埃等がボリュームの動作に支障を与えるのを阻止でき、また、化粧シートがその孔と化粧カバーのつまみ用孔とが若干ずれて貼付されても、つまみ用孔の縁部が露出しにくく、見栄えを維持することができる。
【００２３】
また、電気機器と制御回路基板とを導通接続するコネクターをケース内に収納しその接続口をケース外に位置させて固定し、ケースのコネクター収納部分を裏面方向に段差状に突出させ、コネクターを接続口がケース裏面の段差状に突出しない面側に向くように配設したことにより、ケースから引き出すケーブルを、スイッチボックス内で引き回すことが可能となる。
【００２４】
また、コネクターの接続口が向く方向のケース裏面に、コードクリップと、ケース裏面の側端部に段差状の突出方向に突壁を設けたことにより、コードクリップによってケーブルのコネクターへの接続を保持するとともに、コントローラー取付け時のねじ締めからケーブルを保護できる。
【００２５】
また、ケース裏面における突出部がケース裏面の上部側に形成され、突出部の下面側で接続口を下方に向けてコネクターが配設されたことにより、万一、スイッチボックス内に水が侵入してケーブルを伝ったとしても、制御回路基板に伝っていくことがなくなる。
【発明を実施するための最良の形態】
【００２６】
本発明の請求項１記載のコントローラーは、操作つまみとボリュームを緩嵌状態に連結し、操作つまみの連結側端部の外周に外方に向くフランジを環状に設け、ケースの基板挿入口に閉鎖プレートを固定し、前記閉鎖プレートは、前記フランジより径の小さいつまみ挿通孔を有した前面板と、前記前面板との間に間隙をとって設けられ前記ボリュームの回転軸を通すボリューム用孔を有した底面板とからなり、前記操作つまみを、前記フランジが前記閉鎖プレートの間隙内に位置するようにして取り付けるものであり、ボリュームは操作つまみに緩嵌状態に連結されているので、操作つまみに押す方向、引っ張る方向のいずれの方向に無理な力がかかっても、ボリュームに無理な力が加わらず、一方、操作つまみはボリューム側に押し込まれたり引き抜かれたりすることがないという作用を有する。
【００２７】
また、請求項２記載のコントローラーは、閉鎖プレートは、ボリュームの回転軸を通すボリューム用孔を有した１枚のプレートで、前記閉鎖プレートの前記ボリューム用孔の周囲を前面に対し段差状に一段低くした底面部を形成し、段差を形成する垂直部を切り欠いて操作つまみのフランジの挿入開口を形成してなるとしたものであり、１枚の閉鎖プレートで請求項１記載のコントローラーの作用を奏することができる。
【００２８】
また、請求項３記載のコントローラーは、操作つまみを挿通させるつまみ用孔を有し、ケースの前面側を覆い固定される化粧カバーの裏面に、閉鎖プレートの挿入開口に挿入されない側の操作つまみのフランジに当接するリブを設けたものであり、化粧カバーのリブが挿入開口に挿入されていない側のフランジに当接することによって、操作つまみの全周にわたって抜け止めの作用が及ぶとともに、操作つまみの操作時に均一な操作力がボリュームに伝わる。
【００２９】
また、請求項４記載のコントローラーは、操作つまみのフランジの外周端部に突起を設け、閉鎖プレートの裏面の前記突起の回動範囲に、前記突起の係合する溝を設けたものであり、コントローラーの組立時、操作つまみのフランジを閉鎖プレートの挿入開口に挿入した状態で操作つまみをボリュームに嵌合する際、突起と溝の係合により、操作つまみをボリュームと嵌合するおおよその位置に置くことができるとともに、外れにくい状態にして作業をすることができる。
【００３０】
また、請求項５記載のコントローラーは、ケースの基板挿入口の対向する側端部と閉鎖プレートの対向する側端部とに、係止し合う複数対の係止突起と係止穴を設け、前記複数対の係止突起と係止穴は前記対向する側端部において非対称に配置されたものであり、操作つまみを閉鎖プレートと組み合わせた状態でボリュームに嵌合して連結するとき、間違った方向でその作業をすることが防止できる。
【００３１】
また、請求項６記載のコントローラーは、閉鎖プレートの裏面に、前記閉鎖プレートの固定時に制御回路基板のプリント板に当接する基板押さえボスを設けたものであり、ボリュームを設けたプリント板が、閉鎖プレートの基板押さえボスによってがたつかないように安定した状態に取り付けられることとなる。
【００３２】
また、請求項７記載のコントローラーは、化粧カバーの表面に貼付され制御内容等を印刷したフィルム状の化粧シートに、前記化粧カバーのつまみ用孔に対応する位置で前記つまみ用孔より径の小さい孔が形成されたものであり、化粧カバーのつまみ用孔からケース内に埃等が侵入するのを減少させることができる。
【００３３】
また、請求項８記載のコントローラーは、電気機器と制御回路基板とを導通接続するコネクターをケース内に収納しその接続口を前記ケース外に位置させて固定し、前記ケースの前記コネクター収納部分を裏面方向に段差状に突出させ、前記コネクターを接続口が前記ケース裏面の段差状に突出しない面側に向くように配設したものであり、ケースを部分的に裏面側へ突出させることにより、制御回路基板にコネクターを介して接続されケース外に引き出すケーブルを、壁面等に埋め込んでコントローラーを収納取付けするスイッチボックス内において、挟み込んだりすることなく引き回すことができる。
【００３４】
また、請求項９記載のコントローラーは、コネクターの接続口が向く方向のケース裏面に、コードクリップと、前記ケース裏面の側端部に段差状の突出方向に突壁を設けたものであり、コードクリップによって制御回路基板に導通接続したコネクターに大きな引張り力がかかるのを防止し、また、コントローラー取付け時にケースの側外方でねじ止めする際、突壁によってねじによるケーブルへの傷つけを防止する。
【００３５】
また、請求項１０記載のコントローラーは、ケース裏面における突出部が前記ケース裏面の上部側に形成され、前記突出部の下面側で接続口を下方に向けてコネクターが配設されたものであり、ケーブルが下方から上方に向いてコネクターに接続される。
【００３６】
以下、本発明の実施の形態について、図１〜図６を参照しながら説明する。
【００３７】
（実施の形態１）
コントローラー１は、図１に示す操作つまみ４を回すことによって，例えば、換気扇の風量を任意に変更することができる。コントローラー１は、ケース２、閉鎖プレート３、操作つまみ４、化粧カバー５、ケース２内に収納された制御回路基板６を主な構成要素としている。
【００３８】
制御回路基板６には回転式のボリューム７が実装されており、はんだ付けにより制御回路基板６に固定されている。ボリューム７は円柱状に操作部７ａが伸び、円柱状の先端部が軸方向に切り落とされてＤカット状となっており、ケース２外から操作されるように操作つまみ４が緩嵌状態に連結され、操作つまみ４はＤカット部により空回りすること確実に回転させることができる。また、操作つまみ４の連結側端部の外周に外方に向くフランジ８を環状に設け、フランジ８の外周端部の一箇所に突起９を設けている。
【００３９】
ケース２には前面に基板挿入口１０が形成され、そこから制御回路基板６を収納する。また、ケース２と基板挿入口１０に固定される閉鎖プレート３との固定手段は、係止穴１１と係止突起１２との係止によるものとし、基板挿入口１０の対向する側端部に係止穴１１を設け、閉鎖プレート３の対向する側端部に係止突起１２を設けている。係止穴１１と係止突起１２は対向する側端部において非対称に配置することによって、操作つまみ４を閉鎖プレート３と後述するように組み合わせた状態でボリューム７に嵌合して連結するとき、間違った方向でその作業をすることが防止できる。
【００４０】
制御回路基板６を覆うようにケース２に固定される閉鎖プレート３は、図２に示すように、１個の部品にて構成されており、操作つまみ４に設けられたフランジ８より径の小さい半円状のつまみ挿通孔１３ａを有した前面板１４と、前面板１４との間に間隙をとって設けられ、ボリューム７の回転軸を通すボリューム用孔１５を有した底面板１６とからなり、底面板１６はボリューム用孔１５の周囲が前面に対し段差状に一段低くなった底面部となっており、段差を形成する垂直部を切り欠いて操作つまみ４のフランジ８の略１／２が挿入される挿入開口１７を形成しており、さらに、つまみ挿通孔１３ａに連続してフランジ８より径の大きい半円状のフランジ挿通孔１３ｂを形成することによって、操作つまみ４のフランジ８の略１／２を、閉鎖プレート３の前面板１４側から前面板１４と底面板１６の間隙内に位置させることができる。
【００４１】
また、図３に示すように、閉鎖プレート３の裏面には、閉鎖プレート３のケース２への固定時に制御回路基板６のプリント板１８（図１参照）に当接する基板押さえボス１９を設けており、この基板押さえボス１９により、閉鎖プレート３を固定した際、制御回路基板６のプリント板１８もケース２にがたつきがないように安定した状態で取り付けられることとなる。
【００４２】
上記構成により、操作つまみ４は、ボリューム７に緩嵌状態に連結されているので、フランジ８が閉鎖プレート３の前面板１４および底面板１６に当接して回転軸方向への動きが規制され、操作つまみ４に押す方向、引っ張る方向のいずれの方向に無理な力がかかっても、ボリューム７に無理な力が加わらないため、ボリューム７を固定しているはんだの剥がれやプリント板１８の損傷などの悪影響を受けることがなく、一方、操作つまみ４は、ボリューム７側に押し込まれたり、引き抜かれることによってボリューム７やプリント板１８が露出することがない。また、閉鎖プレート３を１個の部品にて構成することができるため、部品点数を少なくすることによるコスト削減、および組み立て工程を簡易化することができる。
【００４３】
そして、図３に示すように、閉鎖プレート３の前面板１４の裏面には、操作つまみ４に設けた突起９の回動範囲に、突起９の係合する溝２０を設けることにより、コントローラー１の組立時、操作つまみ４のフランジ８を閉鎖プレート３の挿入開口１７に挿入して組み合わせた状態で操作つまみ４をボリューム７に嵌合する際、突起９と溝２０の係合によって、操作つまみ４をボリューム７と嵌合するおおよその位置に置くことができるとともに、外れにくい状態にして作業をすることができるため、組み立て作業が安定した状態で容易に行うことができる。
【００４４】
また、図４に示すように、ケース２と閉鎖プレート３の前面を覆い、コントローラー１の外観として取り付けられる化粧カバー５は、操作つまみ４を挿通させるつまみ用孔２１を有し、裏面に、閉鎖プレート３の挿入開口１７に挿入されない側のフランジ８、すなわち、フランジ挿通孔１３ｂ側に位置するフランジ８の半円部に当接するリブ２２を設けている。
【００４５】
さらに、図５に示すように、化粧カバー５の表面に貼付され制御内容等を印刷したフィルム状の化粧シート２３は、化粧カバー５のつまみ用孔２１に対応する位置でつまみ用孔２１より径の小さい孔２４が形成されている。
【００４６】
上記構成により、化粧カバー５のリブ２２が挿入開口１７に挿入されていない側のフランジ８に当接することによって、操作つまみ４の全周にわたって抜け止めの作用が及ぶとともに、操作つまみ４のフランジ８の面を回転軸に対して垂直な平面に保つことができるため、操作つまみ４の操作時に均一な操作力がボリューム７に伝わることとなる。
【００４７】
また、化粧カバー５に貼付する化粧シート２３の孔２４を化粧カバー５のつまみ用孔２１より小さくすることによって、化粧カバー５のつまみ用孔２１からケース２内に埃等が侵入するのを減少させる効果が高まり、つまみ用孔２１から侵入した埃等がボリューム７の動作に支障を与えるのを阻止できるとともに、化粧シート２３がその孔２４と化粧カバー５のつまみ用孔２１とが若干ずれて貼付されても、つまみ用孔２１の縁部が露出しにくく、見栄えを維持することができる。
【００４８】
そして、コントローラー１により、例えば換気風量を調整される換気扇本体の制御回路部分とコントローラー１の制御回路基板６との導通は、両端にコネクターを有したケーブルを用いて行われる。
【００４９】
図６に示すように、上記ケーブルのコネクターと接続するコントローラー１側のコネクター２５は、ケース２内に収納して、その接続口２６を前記ケース２外に位置させて固定され、ケース２のコネクター２５の収納部分を、ケース裏面方向に段差状に突出する突出部２７として形成し、ケース２裏面の上部側に位置させており、突出部２７の下面側で接続口２６を下方に向けてコネクター２５が配設されている。
【００５０】
また、コネクター２５の接続口２６が向く方向のケース２裏面に、コードクリップ２８と、ケース２裏面の側端部に突出部２７の突出方向に突壁２９を有しており、コードクリップ２８はねじ３０により固定されており、コードクリップ２８の両側方にはリブ３１が設けられ、コードクリップ２８がねじ３０を軸中心として回転方向に動かないように規制している。
【００５１】
上記構成により、コネクター２５を収納している部分のケース２を部分的に裏面側へ突出させることにより、コネクター２５を接続してケース２裏面のコードクリップ２８でケーブルを固定すると、ケース２裏面の段差状になっている凹部にケーブルを引き廻すことになり、ケーブルがケース２裏面に安定して固定され、ケース２裏面の有効高さも低く抑えることができるため、壁面等に埋め込んでコントローラー１を収納取付けするスイッチボックス内において、挟み込んだりすることなく引き回すことができる。また、コネクター２５の接続口２６が下方に向いているため、ケーブルが下方から上方に向いてコネクター２５に接続され、万一、スイッチボックス内に水が侵入してケーブルを伝ったとしても、制御回路基板６に伝っていくことがなくなる。さらに、回り防止をするコードクリップ２８でケーブルを固定することによって、制御回路基板６に導通接続したコネクター２５に大きな引張り力がかかるのを防止し、また、ケース２裏面の側端部に設けた突壁２９によって、ケース２裏面でのケーブルの引き廻しの際、ケース２裏面からケーブルがはみ出すことを防ぐことができ、コントローラー１取付け時にケース２の側外方でねじ止めする際、ねじによるケーブルへの傷つけを防止することができる。
【産業上の利用可能性】
【００５２】
本発明に係るコントローラーは、操作つまみに無理な力を受けても、ボリュームに悪影響を与える力を加えることがなく、かつ適正な位置に保持することができるので、内部にボリュームを内蔵したコントローラーに広く適用できる。
【図面の簡単な説明】
【００５３】
【図１】本発明の実施の形態１のコントローラーを示す分解斜視図
【図２】同コントローラーの閉鎖プレートを示す斜視図
【図３】同閉鎖プレートの裏面側を示す斜視図
【図４】同コントローラーの化粧カバーの裏面側を示す斜視図
【図５】同化粧カバーへの化粧シート貼付前を示す斜視図
【図６】同コントローラーの裏面側を示す斜視図
【符号の説明】
【００５４】
１      コントローラー
２      ケース
３      閉鎖プレート
４      操作つまみ
５      化粧カバー
６      制御回路基板
７      ボリューム
８      フランジ
９      突起
１０    基板挿入口
１１    係止穴
１２    係止突起
１３ａ  つまみ挿通孔
１４    前面板
１５    ボリューム用孔
１６    底面板
１７    挿入開口
１８    プリント板
１９    基板押さえボス
２０    溝
２１    つまみ用孔
２２    リブ
２３    化粧シート
２４    孔
２５    コネクター
２６    接続口
２７    突出部
２８    コードクリップ
２９    突壁
３０    ねじ
３１    リブ
【図１】
2010135161.tif 000003
【図２】
2010135161.tif 000004
【図３】
2010135161.tif 000005
【図４】
2010135161.tif 000006
【図５】
2010135161.tif 000007
【図６】
2010135161.tif 000008